(57)【要約】【解決手段】底壁９と天井壁１０と周壁１１とにより囲まれる内室２３に調理設備を収容し、その周壁１１において各可動壁１５，１６，１８を上下方向へ回動可能に支持して開閉可能な各窓１４，１７を設けている。各可動壁１５，１６，１８を上方へ回動させて各窓１４，１７を開くことにより、各窓１４，１７で調理設備を露出させるとともに、各可動壁１５，１６，１８を張り出させて屋根として機能させる店舗状態と、各可動壁１５，１６，１８を下方へ回動させて各窓１４，１７を閉じることにより、各可動壁１５，１６，１８を含む周壁１１と底壁９及び天井壁１０とをコンテナとして機能させる格納状態とを取る。店舗状態で各可動壁１５，１６，１８のうち互いに隣接する両可動壁１５，１６，１８間に架設する補助屋根を備えている。【効果】コンテナ的形態をなすので、移動店舗１の運搬性及び組付分解性を高めることができる。【選択図】図３
2006022613.tif 000002
【特許請求の範囲】
【請求項１】
底壁と天井壁とその底壁と天井壁との間に設けた周壁とにより囲まれる内室に調理設備を収容し、その周壁において可動壁を上下方向へ回動可能に支持して開閉可能な窓を設け、
前記可動壁を上方へ回動させて前記窓を開くことにより、その窓で調理設備を露出させるとともに、この可動壁を張り出させて屋根として機能させる店舗状態と、
前記可動壁を下方へ回動させて前記窓を閉じることにより、この可動壁を含む周壁と前記底壁及び天井壁とをコンテナとして機能させる格納状態と
を取ることを特徴とするコンテナ型移動店舗。
【請求項２】
前記可動壁は周壁において周方向へ複数並設され、前記店舗状態で各可動壁のうち互いに隣接する両可動壁間に架設する補助屋根を備えたことを特徴とする請求項１に記載のコンテナ型移動店舗。
【請求項３】
前記周壁の内側で可動テーブルを支持し、この可動テーブルは、前記店舗状態において可動壁の下方で張り出す店舗状態と、前記格納状態において可動壁の内側で折畳まれる格納状態とを取ることを特徴とする請求項１または請求項２に記載のコンテナ型移動店舗。
【発明の詳細な説明】
【技術分野】
【０００１】
本発明は調理設備を収容したコンテナ型移動店舗に関するものである。
【背景技術】
【０００２】
従来、この種の移動店舗においては、分解された各種外壁部材と各種調理設備とを運搬し、設置場所でそれらを互いに組み付けたり分解したりしていた。
【発明の開示】
【発明が解決しようとする課題】
【０００３】
そのため、それらの運搬や組付け作業や分解作業が大変面倒であった。
この発明は、移動店舗の形態を改良して、移動店舗の運搬性及び組付分解性を高めることを目的としている。
【課題を解決するための手段】
【０００４】
後記実施形態の図面（図１〜６）の符号を援用して本発明を説明する。
請求項１の発明にかかるコンテナ型移動店舗（１）は下記のように構成されている。
底壁（９）と天井壁（１０）とその底壁（９）と天井壁（１０）との間に設けた周壁（１１）とにより囲まれる内室（２３）に調理設備（２４）を収容し、その周壁（１１）において可動壁（１５，１６，１８）を上下方向へ回動可能に支持して開閉可能な窓（１４，１７）を設けている。前記可動壁（１５，１６，１８）を上方へ回動させて前記窓（１４，１７）を開くことにより、その窓（１４，１７）で調理設備（２４）を露出させるとともに、この可動壁（１５，１６，１８）を張り出させて屋根として機能させる店舗状態（Ｑ）を取る。前記可動壁（１５，１６，１８）を下方へ回動させて前記窓（１４，１７）を閉じることにより、この可動壁（１５，１６，１８）を含む周壁（１１）と前記底壁（９）及び天井壁（１０）とをコンテナ（８）として機能させる格納状態（Ｐ）を取る。この格納状態（Ｐ）では、可動壁（１５，１６，１８）の外周部が窓（１４，１７）の内周部に近接してコンテナ（８）の内室（２３）をコンテナ（８）の外側に対し閉塞する。ちなみに、このコンテナ型移動店舗（１）を車両（２）の荷台（３）に載せて営業しても、このコンテナ型移動店舗（１）を荷台（３）から降ろして営業してもよい。
【０００５】
請求項１の発明では、コンテナ（８）的形態をなすので、格納状態（Ｐ）から店舗状態（Ｑ）への変換作業や店舗状態（Ｑ）から格納状態（Ｐ）への変換作業を簡単に行うことができるとともに、移動店舗（１）としての一体性が高まって運搬が行い易くなる。
【０００６】
請求項１の発明を前提とする請求項２の発明において、前記可動壁（１５，１６，１８）は周壁（１１）の内側で周方向へ複数並設され、前記店舗状態（Ｑ）で各可動壁（１５，１６，１８）のうち互いに隣接する両可動壁（１５，１６，１８）間に架設する補助屋根（２７）を備えている。この補助屋根（２７）については、後記実施形態のように周壁（１１）に対し分離して設けたり、各可動壁（１５，１６，１８）に対し折畳み可能に支持してもよい。請求項２の発明では、屋根として機能する各可動壁（１５，１６，１８）間に生じる天井空間（Ｓ）をこの補助屋根（２７）により閉塞することができる。従って、店舗状態（Ｑ）で屋根機能を高めることができる。
【０００７】
請求項１または請求項２の発明を前提とする請求項３の発明において、前記周壁（１１）で可動テーブル（２１，２２，２６）を支持し、この可動テーブル（２１，２２，２６）は、前記店舗状態（Ｑ）で可動壁（１５，１６，１８）の下方で張り出す店舗状態（Ｑ）と、前記格納状態（Ｐ）で可動壁（１５，１６，１８）の内側で折畳まれる格納状態（Ｐ）とを取る。この可動テーブル（２１，２２，２６）については、後記実施形態のように周壁（１１）で上下方向へ回動可能に支持したり、周壁（１１）に対し分離して設けてもよい。請求項３の発明では、店舗状態（Ｑ）で利便性を高めることができる。
【０００８】
第４の発明では、請求項１または請求項２または請求項３の発明にかかるコンテナ型移動店舗（１）を車両（２）の荷台（３）に載せたので、移動店舗（１）としての運搬性をより一層高めることができる。その際、前記可動テーブル（２１，２２）を店舗状態（Ｑ）でこの荷台（３）の側壁（４）及び後壁（５）に対し上方から重ねてその側壁（４）及び後壁（５）を受台として兼用することができる。
【発明の効果】
【０００９】
本発明は、コンテナ（８）的形態をなすので、移動店舗（１）の運搬性及び組付分解性を高めることができる。
【発明を実施するための最良の形態】
【００１０】
以下、本発明の一実施形態にかかるコンテナ型移動店舗について図１〜６を参照して説明する。
図１（ａ）（ｂ）（ｃ）（ｄ）に示すように、このコンテナ型移動店舗１は、例えば、店舗専用車両２の荷台３に格納状態Ｐで載せられて設置場所まで運搬される。この荷台３においては、左右両側のうち一方の側で側壁４が回動可能に支持されているとともに、後側で後壁５が回動可能に支持され、この側壁４及び後壁５の外側には各脚６が折畳み可能に支持されている。なお、この荷台３において左右両側のうち他方の側で側壁が取り外されている。
【００１１】
図２（ａ）（ｂ）に示すように、前記運搬状態から店舗専用車両２を停車させて各脚台７により位置決めした後、荷台３のみを開くと、荷台３の側壁４及び後壁５が倒されて各脚６により支えられる。
【００１２】
図１（ａ）（ｂ）（ｃ）（ｄ）に示すように、前記コンテナ型移動店舗１において外壁８（コンテナ）は、底壁９と天井壁１０とその底壁９と天井壁１０との間の周壁１１とを備えている。図３（ａ）（ｂ）に示すように、この周壁１１においては、四隅部の各支柱１２のうち店舗専用車両２の運転席２ａに面する両支柱１２間に前固定壁１３が取着され、底壁９と天井壁１０との間で左右両側の両支柱１２間に形成された左右両窓１４に面して左右両可動壁１５，１６が設けられているとともに、底壁９と天井壁１０との間で後側の両支柱１２間に形成された後窓１７に面して後可動壁１８が設けられている。この左右両可動壁１５，１６及び後可動壁１８は、図５（ａ）（ｂ）及び図６（ｂ）に示すように各油圧式緩衝器２０に支えられた状態で、図４（ａ）に示すように天井壁１０に対し各ヒンジ１９により上下方向へ回動可能に支持されている。また、図３（ａ）（ｂ）に示すように、前記右可動壁１６の内側で右窓１４の下端部に飲食用可動テーブル２１が上下方向へ回動可能に支持されているとともに、前記後可動壁１８の内側で後窓１７の下端部に飲食用可動テーブル２２が上下方向へ回動可能に支持されている。
【００１３】
前記格納状態Ｐでは、各可動壁１５，１６，１８を下方へ回動させて各窓１４，１７を閉じることにより、各可動壁１５，１６，１８の外周部が各窓１４，１７の内周部に接触して外壁８の内室２３を外壁８の外側に対し閉塞し、各可動壁１５，１６，１８を含む周壁１１と底壁９及び天井壁１０とをコンテナ（外壁８）として機能させることができる。また、飲食用可動テーブル２１，２２は、格納状態Ｐにおいて各可動壁１６，１８の内側に折畳まれる。
【００１４】
図４（ｂ）に示すように、前記外壁８内で底壁９と天井壁１０と周壁１１とにより囲まれる内室２３には、調理設備２４や椅子などが収容されている。この調理設備２４は、調理具設備（寸胴容器やフライヤーなど）や、水設備（出し入れ可能なシンクや水道栓や排水タンクなど）や、電気設備（発電機や電灯など）や、ガス設備（プロパンガス容器やガスレンジなど）を含み、そのほか、図３（ａ）に示すように、水タンク２５が外壁８の外側で店舗専用車両２の運転席２ａ上に設置されている。なお、図３（ｂ）に示すように、前記左可動壁１５の内側で左窓１４に調理用可動テーブル２６を上下方向へ回動可能に支持してもよい。図４（ａ）に示すように、ヒンジ２８により折畳み可能な補助屋根２７も内室２３に収容されている。
【００１５】
図５（ａ）（ｂ）及び図６（ａ）（ｂ）に示す店舗状態Ｑでは、各可動壁１５，１６，１８を上方へ回動させて各窓１４，１７を開くことにより、その各窓１４，１７で前記調理設備２４を露出させるとともに、この各可動壁１５，１６，１８を張り出させて屋根として機能させることができる。図４（ａ）に示すように各可動壁１５，１６，１８のうち互いに隣接する両可動壁１５，１８間及び両可動壁１６，１８間で生じる天井空間Ｓには、補助屋根２７を着脱可能に架設して各可動壁１５，１６，１８とこの補助屋根２７との間を補強桿２９により支える。また、飲食用可動テーブル２１，２２を各可動壁１６，１８の下方で張り出して前記荷台３の側壁４及び後壁５（受台）に対し上方から重ねる。そのほか、椅子なども取り出して飲食用可動テーブル２１，２２に沿って並べる。これで営業準備が整う。営業終了後は、このコンテナ型移動店舗１を店舗状態Ｑから前記格納状態Ｐに戻して店舗専用車両２により運搬する。
【００１６】
前記実施形態では、店舗専用車両２の荷台３に載せたコンテナ型移動店舗１を例示したが、コンテナ型移動店舗１を運搬車両から降ろして設置してもよい。
【図面の簡単な説明】
【００１７】
【図１】（ａ）は本実施形態にかかるコンテナ型移動店舗を格納状態で車両の荷台に載せた運搬状態を概略的に示す正面図であり、（ｂ）は同じく背面図であり、（ｃ）は同じく平面図であり、（ｄ）は同じく側面図である。
【図２】（ａ）は図１の運搬状態から車両を停車させて荷台のみを開いた設置状態を概略的に示す正面図であり、（ｂ）は同じく側面図である。
【図３】（ａ）は図２の設置状態でコンテナ型移動店舗の可動壁及び可動テーブルも開く途中状態を概略的に示す正面図であり、（ｂ）は同じく側面図である。
【図４】（ａ）は図３の状態から屋根を完成させる途中状態を概略的に示す平面図であり、（ｂ）は上記コンテナ型移動店舗内の調理設備を平面側から見て概略的に示す部分断面図である。
【図５】（ａ）は車両の荷台上において店舗状態にした上記コンテナ型移動店舗を概略的に示す正面図であり、（ｂ）は同じく背面図である。
【図６】（ａ）は車両の荷台上において店舗状態にした上記コンテナ型移動店舗を概略的に示す平面図であり、（ｂ）は同じく側面図である。
【符号の説明】
【００１８】
１…コンテナ型移動店舗、８…外壁（コンテナ）、９…底壁、１０…天井壁、１１…周壁、１４，１７…窓、１５，１６，１８…可動壁、２１，２２，２６…可動テーブル、２３…内室、２４…調理設備、２７…補助屋根、Ｐ…格納状態、Ｑ…店舗状態。
【図１】
2006022613.tif 000003
【図２】
2006022613.tif 000004
【図３】
2006022613.tif 000005
【図４】
2006022613.tif 000006
【図５】
2006022613.tif 000007
【図６】
2006022613.tif 000008